(57)【要約】【課題】ネームカードケース等、首に掛けるなどして身に着ける物品に取り付けて用いることができる携帯型空気浄化用具を提供する。【解決手段】携帯型空気浄化用具１はネームカードケース２１等のように身に着ける物品に固定して使用するので、使用者の負担になることはない。しかも、携帯型空気浄化用具１は極薄い箱状に形成され、ネームカードケース２１より一回り小さく、ネームカードケース２１の裏面に固定するので、外部からは殆ど見えない。従って、見た目も良好なものとなる。【選択図】        図３
2012090743.tif 000002
【特許請求の範囲】
【請求項１】
開口部を有するケースと、前記ケースに収容され二酸化塩素ガスを発生するガス発生体と、前記ケースを人が身に着ける被固定物品に固定するための固定手段とから成ることを特徴とする携帯型空気浄化用具。
【請求項２】
請求項１に記載した携帯型空気浄化用具において、開口部はケースの上面、側面の少なくとも一方に形成されていることを特徴とする携帯型空気浄化用具。
【請求項３】
請求項１または２に記載した携帯型空気浄化用具において、ケースは本体部と前記本体部に対し着脱可能な蓋体とから成り、前記が蓋体を本体部から外して使用済みのガス発生体を新しいガス発生体に入れ替えることができることを特徴とする携帯型空気浄化用具。
【請求項４】
請求項１から３のいずれかに記載した携帯型空気浄化用具において、固定手段は被固定部材に対し着脱可能な粘着剤によって構成されていることを特徴とする携帯型空気浄化用具。
【請求項５】
少なくとも表面側に透明部を有しネームカードを収容するカード収容部を備え、請求項１から４のいずれかに記載した携帯型空気浄化用具を裏面側に固定したことを特徴とするネームカード収容ケース。
【発明の詳細な説明】
【技術分野】
【０００１】
本発明は携帯型空気浄化用具に係り、特に首から吊り下げるネームカードケースに取り付けて使用する携帯型空気浄化用具に関するものである。
【背景技術】
【０００２】
特許文献１に記載された携帯型空気浄化用具は、二酸化塩素粉末を収容する収容体と、この収容体に取り付けられたストラップとを有し、ストラップを首に掛けて、収容体が胸の辺りにくるように吊り下げる。収容体の開口からは二酸化塩素ガスが排出され、この二酸化塩素ガスが顔の前方に供給される。これにより人が呼吸により吸引する空気を浄化することができる。
【先行技術文献】
【特許文献】
【０００３】
【特許文献１】実用新案登録第３１５４０９４号公報
【発明の概要】
【発明が解決しようとする課題】
【０００４】
しかしながら、この携帯型空気浄化用具は、それ自体を単体で首から吊り下げるものであるため、例えばネームカードケースを首に掛けている場合は、二本のネックストラップを掛けることになり、使用者の負担になるばかりか、見た目も悪いという問題がある。
本発明は上記従来の問題点に着目して為されたものであり、ネームカードケース等、首に掛けるなどして身に着ける物品に取り付けて用いることができる携帯型空気浄化用具の提供を、その目的とする。
【課題を解決するための手段】
【０００５】
本発明は上記課題を解決するためになされたものであり、請求項１の発明は、  開口部を有するケースと、前記ケースに収容され二酸化塩素ガスを発生するガス発生体と、前記ケースを人が身に着ける被固定物品に固定するための固定手段とから成ることを特徴とする携帯型空気浄化用具。
【０００６】
請求項２の発明は、請求項１に記載した携帯型空気浄化用具において、開口部はケースの上面、側面の少なくとも一方に形成されていることを特徴とする携帯型空気浄化用具である。
【０００７】
請求項３の発明は、請求項１または２に記載した携帯型空気浄化用具において、ケースは本体部と前記本体部に対し着脱可能な蓋体とから成り、前記が蓋体を本体部から外して使用済みのガス発生体を新しいガス発生体に入れ替えることができることを特徴とする携帯型空気浄化用具である。
【０００８】
請求項４の発明は、請求項１から３のいずれかに記載した携帯型空気浄化用具において、固定手段は被固定部材に対し着脱可能な粘着剤によって構成されていることを特徴とする携帯型空気浄化用具である。
【０００９】
請求項５の発明は、少なくとも表面側に透明部を有しネームカードを収容するカード収容部を備え、請求項１から４のいずれかに記載した携帯型空気浄化用具を裏面側に固定したことを特徴とするネームカード収容ケースである。
【発明の効果】
【００１０】
本発明の携帯型空気浄化用具は、例えばネームカードケース等のように身に着ける物品に固定して使用することができ、使用者の負担になることはない。
しかも、ネームカードケース等の裏面に固定するので、外部からは殆ど見えず、見た目も良好なものとなる。
【図面の簡単な説明】
【００１１】
【図１】本発明の実施の形態１に係る携帯型空気浄化用具の分解斜視図である。
【図２】図１の携帯型空気浄化用具をネームカードケースの裏面に固定した状態を示す斜視図である。
【図３】図２の携帯型空気浄化用具を固定したネームカードケースを首から吊り下げた場合に、携帯型空気浄化用具から放出された二酸化塩素ガスが顔の前方に供給される様子を示す図である。
【図４】本発明の実施の形態２に係るネームカードケースと一体型の携帯型空気浄化用具の平面図である。
【図５】図４のＡ−Ａ断面図である。
【発明を実施するための形態】
【００１２】
本発明の実施の形態１に係る携帯型空気浄化用具１を図１から図３にしたがって説明する。
符号３はプラスチック製のケースを示し、このケース３は本体部５と蓋体７とから構成されている。本体部５は前板９、左右の側板１１、底板１２から成り、上面と背面は開口１６、開口１８がそれぞれ形成されている。また左右の側板１１にも、開口１４がそれぞれ形成されている。
本体部５は幅寸法９０ｍｍ、高さ寸法が５５ｍｍで、厚さ寸法が５ｍｍに形成されており、後述するネームカードケース２１より一回り小さい幅寸法と高さ寸法を有し、しかも極薄型に製作されている。また左右の側板１１の内側面には一対の嵌合凹部１３がそれぞれ形成されている。一対の嵌合凹部１３は上下方向に並んで配置されている。
【００１３】
蓋体７は薄い板状で本体部５の背面の開口１８にぴったり嵌るサイズに形成されている。蓋体７の左右の端面には本体部５の嵌合凹部１３に嵌る一対の嵌合凸部１５がそれぞれ形成されている。
【００１４】
符号２０はウレタン系の合成樹脂製の粘着剤としての粘着シートを示し、本体部５の表面に一対固着されている。一対の粘着シート２０によって固定手段が構成されている。
【００１５】
ケース３には二酸化塩素ガスを発生させるガス発生体１９が収容される。このガス発生体１９は通気性を有する袋と、この袋に固形状の二酸化塩素を封入して構成されており、徐々に二酸化塩素ガスを放出するようになっている。
上記ガス発生体１９を本体部に入れてから、蓋体７の嵌合凸部１５を本体部５の嵌合凹部１３に嵌合させる。これにより蓋体７が本体部５の背面の開口１８を覆う状態となるが、上面の開口１６は閉鎖されず開放されたままの状態となる。
【００１６】
被固定物品としてのネームカードケース２１はベース部２２の表面側に収容部２４が設けられ、この収容部２４の表面側は透明材料によって構成され、ネームカードケース２１に収容された名刺等のネームカードを外部から視認することができるようになっている。また、収容部２４の上部には開口が形成されており、ベース部２２には、この開口を閉鎖する蓋部２８が設けられている。
ネームカードケース２１のベース部２２の上端部中央には長穴２３が形成され、この長穴２３には連結具２５が取り付けられ、連結具２５にはネックストラップ２７が接続されている。
【００１７】
粘着シート２０によってネームカードケース２１の裏面に携帯型空気浄化用具１を固定する。
そして、図３（ａ）、（ｂ）に示すようにネックストラップ２７を首に掛けて、携帯型空気浄化用具１が胸の辺りにくるように吊り下げる。ガス発生体１９から放出された二酸化塩素ガスは開口１４、１６から外部に出て、矢印で示すように体に沿って上昇する。そして、二酸化塩素ガスが顔の前方に供給されて、人が呼吸により吸引する空気を浄化する。従って、どのような場所でも、人が吸引する空気を浄化することができ、ウィルス感染等を有効に防止することが可能となる。
【００１８】
また、携帯型空気浄化用具１はネームカードケース２１等のように身に着ける物品に固定して使用するので、使用者の負担になることはない。しかも、携帯型空気浄化用具１は極薄い箱状に形成され、ネームカードケース２１より一回り小さく、ネームカードケース２１の裏面に固定するので、外部からは殆ど見えない。従って、見た目も良好なものとなる。
【００１９】
本発明の実施の形態２に係る携帯型空気浄化用具４１を図４、図５にしたがって説明する。本実施の形態において実施の形態１において説明した部材と同様のものについては、実施の形態１で用いた符号を付して、その説明を省略する。
携帯型空気浄化用具４１はネームカードケース４３と一体に形成されている。
【００２０】
符号４５はケースを示し、このケース４５の背板は、ネームカードケース４３のベース部２２によって構成されている。ネームカードケース４３は、実施の形態１に係るネームカードケース２１と同じ連結具２５を介してネックストラップ２７が取り付けられる。
ケース４５の上面には開口４９が形成されて、この開口４９からケース４５に収容されたガス発生体１９から出る二酸化塩素ガスが放出される。使用方法、作用効果は実施の形態１に係る携帯型空気浄化用具１と同様である。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、二酸化塩素発生体に用いられる二酸化塩素は固形のものに限らず、ゲルのものであってもよい。
【００２２】
また、実施の形態１に係る携帯型空気浄化用具１において、開口１４と開口１６はいずか一方を設ける構成としてもよい。
実施の形態２に係る携帯型空気浄化用具４１においてケース４５の左右の側板に開口を形成してもよい。
【産業上の利用可能性】
【００２３】
本発明は携帯型空気浄化用具の製造業に利用可能である。
【符号の説明】
【００２４】
１…携帯型空気浄化用具    ３…ケース    ５…本体部
７…蓋体    ９…前板    １１…左右の側板    １２…底板
１３…嵌合凹部    １４…本体部側面の開口    １５…嵌合凸部
１６…本体部上面の開口    １８…本体部背面の開口
１９…ガス発生体    ２０…粘着シート
２１…ネームカードケース    ２２…ベース部    ２３…長穴
２４…収容部    ２５…連結具
２７…ネックストラップ    ２８…蓋部
４１…携帯型空気浄化用具    ４３…ネームカードケース
４５…ケース    ４９…開口
【図１】
2012090743.tif 000003
【図２】
2012090743.tif 000004
【図３】
2012090743.tif 000005
【図４】
2012090743.tif 000006
【図５】
2012090743.tif 000007